(57)【要約】【解決手段】電気コネクタは、プリント回路基板に取付けるために提供され、前側嵌（かん）合端と後側終端とを備える細長い絶縁性ハウジングを含む。複数の信号端子は、ハウジングに取付けられ、該ハウジングの長手方向に離間される。各信号端子は、ハウジングの嵌合端にある接点部と、ハウジングの終端にあるテール部とを含む。複数の接地板は、ハウジング上に信号端子の少なくとも幾つかの間に取付けられる。各接地板は、本体部、前側部及びテール部を含む。信号端子は、ハウジングの長手方向において実質的に接地板の本体部と前側部の長手方向の輪郭内にあり、接地板のテール部が輪郭の後方に突出している。
2005532669.tif 000002
【特許請求の範囲】
【請求項１】
プリント回路基板に取付ける電気コネクタであって、
前側嵌合端と後側終端とを備える細長い絶縁性ハウジングと、
該ハウジングに取付けられ、該ハウジングの長手方向に離間された複数の信号端子であって、各信号端子が、ハウジングの嵌合端にあり、相補的接続装置の適切な端子と接触するための本体部内の接点部と、ハウジングの終端にあり、プリント回路基板上の適切な信号回路トレースに接続するためのテール部とを含む信号端子と、
ハウジング上に、前記信号端子の少なくとも幾つかの間に取付けられた複数の接地板であって、各接地板が、本体部と、ハウジングの嵌合端において本体部から前方に突出する前側部と、プリント回路基板上の適切な接地トレースに接続するためにハウジングの終端において本体部から後方に突出するテール部とを含む接地板とを有し、
前記信号端子が、ハウジングの長手方向において実質的に接地板の本体部と前側部の長手方向の輪郭内にあり、接地板のテール部が前記輪郭の後方に突出している電気コネクタ。
【請求項２】
前記信号端子の接点部が、ハウジングの長手方向において実質的に接地板の前側部の長手方向の輪郭内にある、請求項１に記載の電気コネクタ。
【請求項３】
前記信号端子のテール部が、ハウジングの長手方向において実質的に接地板の本体部の長手方向の輪郭内にある、請求項１に記載の電気コネクタ。
【請求項４】
前記絶縁性ハウジングが、電気コネクタのライトアングル型の構造を画定し、信号端子及び接地板の接点部及び前側部が、それぞれ、各テール部に対して直角に延在する、請求項１に記載の電気コネクタ。
【請求項５】
信号端子及び接地板のテール部が、プリント回路基板上の回路トレース及び接地トレースに接続するための表面実装用足部を含む、請求項１に記載の電気コネクタ。
【請求項６】
前記信号端子が、ハウジングの長手方向において離間された対を成して取付けられ、接地板が、ハウジング上の隣合った信号端子対の間に配置された、請求項１に記載の電気コネクタ。
【請求項７】
前記信号端子が、上側信号端子及び下側信号端子を含む対で取付けられ、本体部と接点部が、プリント回路基板に対して垂直な単一平面に配置された、請求項１に記載の電気コネクタ。
【請求項８】
前記テール部が、直角屈曲部及び横方向屈曲部によって接合された水平部及び垂直部を備え、上側信号端子及び下側信号端子の横方向屈曲部が互いに反対方向に屈曲し、テール部を前記単一平面と異なる平面に配置することができるようにした、請求項７に記載の電気コネクタ。
【請求項９】
前記信号端子の接点部が、該接点部の列の間にプラグ型接続装置を収容するように、ハウジングの長手方向に２つの離間された列を成して配置された、請求項１に記載の電気コネクタ。
【請求項１０】
前記接地板の前側部が、接続装置を間に収容するために１対の離間されたアームを画定するように二又に分岐された、請求項９に記載の電気コネクタ。
【請求項１１】
前記信号端子の接点部が、実質的に接地板の離間されたアームの長手方向の輪郭内にある、請求項９に記載の電気コネクタ。
【請求項１２】
プリント回路基板に取付ける電気コネクタであって、
前側嵌合端と後側終端とを備える細長い絶縁性ハウジングと、
該ハウジングに取付けられ、該ハウジングの長手方向に離間された複数の接地板であって、各接地板が、本体部と、ハウジングの嵌合端において本体部から前方に突出する前側部と、ハウジングの終端においてプリント回路基板上の適切な接地トレースと接続するために本体部の後方に突出するテール部とを含む接地板と、
該接地板の少なくとも幾つかの間においてハウジングに取付けられた複数の信号端子であって、各信号端子が、ハウジングの嵌合端にあり、相補的接続装置の適切な端子と接触するための接点部を含み、信号端子の接点部が、ハウジングの長手方向において実質的に接地板の前側部の長手方向の輪郭内にあり、各信号端子が、ハウジングの終端にあり、プリント回路基板上の適切な信号回路トレースに接続するテール部を含み、信号端子のテール部が、ハウジングの長手方向において実質的に接地板の本体部の長手方向の輪郭内にある電気コネクタ。
【請求項１３】
前記絶縁性ハウジングが、電気コネクタのライトアングル型の構造を画定し、信号端子及び接地板の接点部及び前側部が、それぞれ、各テール部に対して直角に延在する、請求項１２に記載の電気コネクタ。
【請求項１４】
前記信号端子及び接地板のテール部が、プリント回路基板上の回路トレース及び接地トレースに接続するための表面実装用足部を含む、請求項１２に記載の電気コネクタ。
【請求項１５】
前記信号端子が、ハウジングの長手方向に離間された対を成して取付けられ、接地板が、ハウジング上の隣合った信号端子対の間に配置された、請求項１２に記載の電気コネクタ。
【請求項１６】
前記信号端子の接点部が、該接点部の列の間にプラグ型接続装置を収容するようにハウジングの長手方向に２つの離間された列を成して配置された、請求項１２に記載の電気コネクタ。
【請求項１７】
前記接地板の前側部が、接続装置を間に収容するために１対の離間されたアームを画定するように二又に分岐された、請求項１６に記載の電気コネクタ。
【請求項１８】
前記信号端子の接点部が、実質的に接地板の離間されたアームの長手方向の輪郭内にある、請求項１７に記載の電気コネクタ。
【発明の詳細な説明】
【技術分野】
【０００１】
本発明は、一般に、電気コネクタの技術に関し、詳細には、プリント回路基板に取付けるための、複数の信号端子間に配置された接地端子、又は、接地板を含むコネクタに関する。
【背景技術】
【０００２】
プリント回路基板に取付ける従来の表面実装電気コネクタは、絶縁性又は誘電性ハウジングを有し、このハウジング内に複数の導電端子が１列又は複数列のような所定の間隔で配列されている。各端子は、ハウジングからプリント回路基板の表面に突出するはんだテール部を有する。該はんだテール部は、はんだ付技術によって回路基板上の導電回路トレースに固定される。
【発明の開示】
【発明が解決しようとする課題】
【０００３】
特定の表面実装入出力（Ｉ／Ｏ）電気コネクタでは、インピーダンスを制御し、かつ、信号端子間のクロストークを減少させるために、信号端子の少なくとも幾つかの間に接地端子又は接地板が配置されている。また、該接地端子又は接地板は、プリント回路基板上の適切な接地回路トレースに接続するためのはんだテール部を有する。端子間のクロストークをなくすか、又は、少なくとも減少させるために、信号端子と鏡像関係になるように接地板のサイズと形状が決められるか、あるいは、信号端子が実質的に接地板の長手方向の輪郭内に配置される。接地板が、プリント回路基板上の接地回路トレースに接続するはんだテール部を有するとき、該はんだテール部が十分な可撓（とう）性を欠いているか、信号端子に対して真の鏡像関係とならない。本発明は、これらの問題を、このような表面実装電気コネクタにおいて改良された接地端子、又は、接地板を用いることによって解決しようとするものである。
【課題を解決するための手段】
【０００４】
したがって、本発明の目的は、プリント回路基板に取付けるための前述のタイプの新規で、かつ、改良された電気コネクタを提供することである。
【０００５】
本発明の例示的な実施形態においては、コネクタは、前側嵌（かん）合端と後側終端を有する細長い誘電性ハウジングを有する。該ハウジングには複数の信号端子が取付けられ、長手方向に離間されている。各信号端子は、ハウジングの嵌合端にあり相補的接続装置の適切な端子と接触する接点部と、ハウジングの終端にありプリント回路基板上の適切な信号回路トレースに接続するテール部とを備える。ハウジング上の信号端子の少なくとも幾つかの間に、複数の接地板が取付けられている。各接地板は、本体部と、ハウジングの嵌合端にあり本体部の前方に突出する前側部と、ハウジングの終端にありプリント回路基板上の適切な接地トレースに接続するために本体部の後方に突出するテール部とを含む。信号端子は、ハウジングに長手方向において実質的に接地板の本体部と前側部の長手方向の輪郭内に配置され、接地板のテール部は輪郭の後方に突出している。
【０００６】
本発明では、信号端子の接点部が、ハウジングの長手方向において実質的に接地板の前側部の長手方向の輪郭内にあることを意図している。信号端子のテール部は、実質的に、ハウジングの長手方向において接地板の本体部の長手方向の輪郭内にある。
【０００７】
本明細書に開示したように、誘電性ハウジングは、電気コネクタのライトアングル型の構造を画定する。信号端子及び接地端子の接点部及び前側部は、それぞれ、各テール部に対して直角に延在している。信号端子は、ハウジングの長手方向に離間された対で取付けられ、接地板は、ハウジング上に隣合った信号端子対の間に配置されている。信号端子及び接地板のテール部は、プリント回路基板上の回路トレース及び接地トレースに接続するための表面実装用足部を含む。
【０００８】
本発明の１つの形態によれば、信号端子の接点部は、該接点部の列の間にプラグ型接続装置を収容するように、ハウジングの長手方向に２つの離間された列を成して配置されている。接地板の前側部は、接続装置の少なくとも一部分をそれらの間に収容するための１対の離間されたアームを画定するように二又に分岐されている。信号端子の接点部は、実質的に接地板の離間されたアームの長手方向の輪郭内にある。
【０００９】
本発明の他の目的、特徴及び利点は、添付図面に関して行われる以下の詳細な説明から明らかであろう。
【００１０】
新規と考えられる本発明の特徴は、添付の特許請求の範囲で詳細に説明される。本発明は、その目的及び利点とともに、添付図面とともに行われる以下の説明を参照することにより最もよく理解することができ、図において類似の参照符号は類似の要素を示す。
【発明を実施するための最良の形態】
【００１１】
図面をより詳細に参照して説明を行う。最初に図１及び２を参照すると、全体を１０で示した、回路基板１２に取付けるためのライトアングル型電気コネクタが示されている。該コネクタは、全体を１４で示した細長い絶縁性又は誘電性ハウジングを含み、該ハウジングは、実質的に、全体を１６で示した金属シールドと、全体を１８で示した取付部品とを含む。ハウジングは、コネクタの前側嵌合端２０（図１）とコネクタの後側終端２２（図２）を画定する。
【００１２】
コネクタ１０の取付部品１８は、コネクタを回路基板１２上に取付けるための適切な締結具（図示せず）を収容する１対の穴開取付ボス２４を含む。ハウジング１４は、取付部品１８の１対の位置決穴２８内に配置され、上方に突出する１対のポスト２６を含む。取付部品は、コネクタ１０を相補的嵌合コネクタや他の接続装置の適切なラッチ手段に係止するための、１対の前方に突出するラッチアーム３０（図１）を含む。
【００１３】
コネクタ１０の金属シールド１６は、シートメタル材料から打抜成形される。シールドは、ハウジング１４の中間部の前面に当接する板部３２と、ハウジングの嵌合端２０を取囲むシュラウド部３４（図１）とを含む。シールドは、板部３２の上縁と下縁から後方に突出し、ハウジング１４上のスナップラッチボス３８と係合する１対のスナップラッチ３６を有する。最後に、シールドは、シュラウド部３４の両端の板部３２に形成され、取付部品１８のラッチアーム３０が通る１対の垂直方向に延在するスロット４０を有する。図２とともに図３及び４を参照すると、全体を４４で示した複数の信号端子が、全体を４６で示した複数の接地板の間に、ハウジングの長手方向に離間されて、ハウジング１４上に取付けられている。換言すると、隣合った１対の信号端子４４の間に１つの接地板４６が配置されている。図３で最もよく分かるように、信号端子４４は、プリント回路基板１２上の適切な信号回路トレースに、はんだ付等によって接続するためのテール部４４ｃを有する。接地板４６は、プリント回路基板上の適切な接地トレースにはんだ付等によって接続するための可撓性テール部４６ａを有する。図４の描写は現実的なものではなく、信号端子と接地板がハウジング内に取付けられ、該ハウジングによって支持されなければならないことを理解されたい。
【００１４】
図４の描写は、信号端子と接地板の隣接位置決めを示すためのものである。
【００１５】
図５は、単一の接地板４６が、後縁４６ｃを有する本体部４６ｂを備え、後縁４６ｃから可撓性テール部４６ａが後方に突出していることを示す。本体部は、接地板をハウジングに取付ける。各接地板の前側部４６ｄは、スロット４８を画定するように二又に分岐され、１対の可撓性接触アーム４６ｅがスロットの両側（上と下）に配置されている。
【００１６】
図６及び７を参照すると、信号端子４４は、前述されたように、１対の接地板４６の間に配置された各対の信号端子の上側端子４４ａと下側端子４４ｂとを含む。該上側信号端子４４ａと下側信号端子４４ｂは、それぞれ、コネクタハウジング内に端子を取付けることを可能にする本体部５０を含む点が類似している。図８は、プリント回路基板に対して垂直な同じ平面に配置された上側信号端子４４ａと下側信号端子４４ｂの本体部５０を示す。各信号端子は、図１に見られるようにコネクタの前側嵌合端２０内に露出して、相補的接続装置の適切な端子と接触するように、前方に突出する可撓性接点部又はアーム５２を備える。各信号端子は、ハウジング１４の終端２２において、水平部４４ｄと垂直部４４ｅとから成るテール部４４ｃを備える。ライトアングル型コネクタの場合はテール部が直角であることが分かる。上側信号端子４４ａと下側信号端子４４ｂの１つの違いは、すべてのテール部がプリント回路基板１２に届くように、上側端子４４ａの垂直テール部４４ｅが下側端子の垂直テール部４４ｅよりも長いことである。もう１つの違いは、上側信号端子４４ａの水平テール部４４ｄと垂直テール部４４ｅとの間の直角屈曲部の後ろに、右側に向けられた第２の屈曲部４４ｆがあり、下側信号端子４４ｂの第２の屈曲部４４ｇが左側に向けられていることである。上側端子と下側端子の水平テール部と垂直テール部のこの配置は、信号端子対の間のキャパシタンスの更なる制御を可能にし、したがって、更にクロストークを制御する。
【００１７】
接地板４６のテール部４６ａが足部５４を有し、信号端子４４ａ及び４４ｂのテール部４４ｃが足部５６を有し、端子と接地板がコネクタ内に取付けられたとき、信号端子と接地板のすべての足部は共通平面に位置する。したがって、足部の面は、はんだ接続するためにプリント回路基板１２上の回路トレース及び接地トレースと係合する。接地板４６は、細長いハウジング１４の長手方向に、１対の信号端子とそれと隣合った対の信号端子との間のインピーダンスを制御し、クロストークを減少させるように構成される。
【００１８】
そのために、図４とともに図８を参照すると、上側信号端子４４ａと下側信号端子４４ｂが、それぞれ、プリント回路基板１２上の回路トレースと係合する接地端子の可撓性テール部４６ａを除き、実質的に接地板４６の長手方向の輪郭内にあることが分かる。具体的には、信号端子の本体部５０とテール部４４ｃは、実質的に接地板４６の本体部４６ｂの長手方向の輪郭内にある。信号端子の接点アーム５２は、実質的に接地板４６の接点アーム４６ｅの長手方向の輪郭内にある。実際には、相補的なプラグ型接続装置が、接地板のスロット４８（図５）、及び、上側信号端子と下側信号端子の接点アーム５２の間に差込まれたとき、信号端子の接点アームと接地板の接点アームがすべて一斉に曲り、信号端子の接点アームが、接地板の接点アームの長手方向の輪郭内に維持される。図８は、接地板４６のテール部４６ａが接地板の後端４６ｃよりも後方に突出している様子を示す。これにより、信号端子のテール部４４ｃを、コネクタの長手方向において接地板の大きな本体部４６ｂによって長手方向の輪郭内に完全に囲い込むことができる。
【００１９】
本発明は、その精神、又は、中心的特徴から逸脱することなく他の特定の形態で実施することができることを理解されよう。したがって、以上の例と実施形態は、すべての点において例示的であり限定的でないと考えるべきであり、本発明は、本明細書に示した詳細に限定されない。
【図面の簡単な説明】
【００２０】
【図１】本発明の概念を具現化する電気コネクタの前側嵌合端の斜視図であり、コネクタは回路基板に取付けられている。
【図２】コネクタの後側終端の斜視図である。
【図３】コネクタの終端の一部分の拡大斜視図である。
【図４】信号端子対の間に配置された幾つかの接地板の斜視図であり、説明を容易にするためにコネクタハウジングが除去されている。
【図５】接地板の１つの側面図である。
【図６】上側信号端子の１つの側面図である。
【図７】下側信号端子の１つの側面図である。
【図８】長手方向の断面を示すためにコネクタハウジングから分離された１対の信号端子と接地板の側面図である。
【図１】
2005532669.tif 000003
【図２】
2005532669.tif 000004
【図３】
2005532669.tif 000005
【図４】
2005532669.tif 000006
【図５】
2005532669.tif 000007
【図６】
2005532669.tif 000008
【図７】
2005532669.tif 000009
【図８】
2005532669.tif 000010
【手続補正書】
【提出日】平成15年11月4日(2003.11.4)
【手続補正１】
【補正対象書類名】特許請求の範囲
【補正対象項目名】全文
【補正方法】変更
【補正の内容】
【特許請求の範囲】
【請求項１】
プリント回路基板（１２）に取付ける電気コネクタ（１０）であって、
前側嵌合端（２０）と後側終端（２２）とを備える細長い絶縁性ハウジング（１４）と、
該ハウジングに取付けられ、該ハウジングの長手方向に離間された複数の信号端子（４４）であって、各信号端子が、ハウジングの嵌合端にあり、相補的接続装置の適切な端子と接触するための本体部（５０）内の接点部（５２）と、ハウジングの終端にあり、プリント回路基板上の適切な信号回路トレースに接続するためのテール部（４４ｃ）とを含む信号端子と、
ハウジング上に、前記信号端子（４４）の少なくとも幾つかの間に取付けられた複数の接地板（４６）であって、各接地板が、本体部（４６ｂ）と、ハウジングの嵌合端において本体部から前方に突出する前側部（４６ｄ）と、プリント回路基板（１２）上の適切な接地トレースに接続するためにハウジングの終端（２２）において本体部から後方に突出するテール部（４６ａ）とを含む接地板とを有し、
前記信号端子（４４）が、ハウジングの長手方向において実質的に接地板（４６）の本体部（４６ｂ）と前側部（４６ｄ）の長手方向の輪郭内にあり、接地板のテール部（４６ａ）が前記輪郭の後方に突出している電気コネクタ（１０）。
【請求項２】
前記信号端子（４４）の接点部（５２）が、ハウジングの長手方向において実質的に接地板（４６）の前側部（４６ｄ）の長手方向の輪郭内にある、請求項１に記載の電気コネクタ。
【請求項３】
前記信号端子（４４）のテール部（４４ｃ）が、ハウジングの長手方向において実質的に接地板（４６）の本体部（４６ｂ）の長手方向の輪郭内にある、請求項１に記載の電気コネクタ。
【請求項４】
前記絶縁性ハウジング（１４）が、電気コネクタのライトアングル型の構造を画定し、信号端子（４４）及び接地板（４６）の接点部（５２）及び前側部（４６ｄ）が、それぞれ、各テール部（４４ｃ、４６ａ）に対して直角に延在する、請求項１に記載の電気コネクタ。
【請求項５】
信号端子（４４）及び接地板（４６）のテール部（４４ｃ、４６ａ）が、プリント回路基板上の回路トレース及び接地トレースに接続するための表面実装用足部（５６、５４）を含む、請求項１に記載の電気コネクタ。
【請求項６】
前記信号端子（４４）が、ハウジング（１４）の長手方向において離間された対を成して取付けられ、接地板（４６）が、ハウジング上の隣合った信号端子対の間に配置された、請求項１に記載の電気コネクタ。
【請求項７】
前記信号端子（４４）が、上側信号端子及び下側信号端子（４４ａ、４４ｂ）を含む対で取付けられ、本体部（５０）と接点部が、プリント回路基板に対して垂直な単一平面に配置された、請求項１に記載の電気コネクタ。
【請求項８】
前記テール部（４４ｃ）が、直角屈曲部及び横方向屈曲部によって接合された水平部と垂直部（４４ｄ、４４ｅ）を備え、上側信号端子及び下側信号端子（４４ａ、４４ｂ）の横方向屈曲部（４４ｆ、４４ｇ）が互いに反対方向に屈曲し、テール部（４４ｃ）を前記単一平面と異なる平面に配置することができるようにした、請求項７に記載の電気コネクタ。
【請求項９】
前記信号端子（４４）の接点部（５２）が、該接点部の列の間にプラグ型接続装置を収容するように、ハウジング（１４）の長手方向に２つの離間された列を成して配置された、請求項１に記載の電気コネクタ。
【請求項１０】
前記接地板（４４）の前側部（４６ｄ）が、接続装置を間に収容するために１対の離間されたアーム（４６ｅ）を画定するように二又に分岐された、請求項９に記載の電気コネクタ。
【請求項１１】
前記信号端子（４４）の接点部（５２）が、実質的に接地板（４６）の離間されたアーム（４６ｅ）の長手方向の輪郭内にある、請求項９に記載の電気コネクタ。
【請求項１２】
プリント回路基板（１２）に取付ける電気コネクタ（１０）であって、
前側嵌合端（２０）と後側終端（２２）とを備える細長い絶縁性ハウジング（１４）と、
該ハウジングに取付けられ、該ハウジングの長手方向に離間された複数の接地板（４６）であって、各接地板が、本体部（４６ｂ）と、ハウジングの嵌合端において本体部から前方に突出する前側部（４６ｄ）と、ハウジングの終端においてプリント回路基板上の適切な接地トレースと接続するために本体部の後方に突出するテール部（４６ａ）とを含む接地板と、
該接地板（４６）の少なくとも幾つかの間においてハウジングに取付けられた複数の信号端子（４４）であって、各信号端子が、ハウジングの嵌合端にあり、相補的接続装置の適切な端子と接触するための接点部（５２）を含み、信号端子の接点部（５２）が、ハウジングの長手方向において実質的に接地板の前側部（４６ｄ）の長手方向の輪郭内にあり、各信号端子が、ハウジングの終端にあり、プリント回路基板上の適切な信号回路トレースに接続するテール部（４４ｃ）を含み、信号端子のテール部が、ハウジングの長手方向において実質的に接地板（４６）の本体部（４６ｂ）の長手方向の輪郭内にある電気コネクタ。
【請求項１３】
前記絶縁性ハウジング（１４）が、電気コネクタのライトアングル型の構造を画定し、信号端子（４４）及び接地板（４６）の接点部（５２）及び前側部（４６ｄ）が、それぞれ、各テール部（４４ｃ、４６ａ）に対して直角に延在する、請求項１２に記載の電気コネクタ。
【請求項１４】
前記信号端子（４４）及び接地板（４６）のテール部が、プリント回路基板上の回路トレース及び接地トレースに接続するための表面実装用足部（５６、５４）を含む、請求項１２に記載の電気コネクタ。
【請求項１５】
前記信号端子（４４）が、ハウジング（１４）の長手方向に離間された対を成して取付けられ、接地板（４６）が、ハウジング上の隣合った信号端子対の間に配置された、請求項１２に記載の電気コネクタ。
【請求項１６】
前記信号端子（４４）の接点部（５２）が、該接点部の列の間にプラグ型接続装置を収容するようにハウジング（１４）の長手方向に２つの離間された列を成して配置された、請求項１２に記載の電気コネクタ。
【請求項１７】
前記接地板（４４）の前側部（４６ｄ）が、接続装置を間に収容するために１対の離間されたアーム（４６ｅ）を画定するように二又に分岐された、請求項１６に記載の電気コネクタ。
【請求項１８】
前記信号端子（４４）の接点部（５２）が、実質的に接地板（４６）の離間されたアーム（４６ｅ）の長手方向の輪郭内にある、請求項１７に記載の電気コネクタ。
【国際調査報告】
2005532669.tif 000011
2005532669.tif 000012